(57)【要約】【課題】入室者の入室と退室者の退室とがほぼ同時に発生する場合でも、不正な入室及び退室が防止される入退室管理システムを提供する。【解決手段】入室管理端末２０のカード読取部２１により、入室者のＩＤカードを読み取って入室者が正常に認証されたとき、退室側状態検出手段（退室側状態検出部２２）により、入退室管理手段（入退室管理サーバ１０）に記録されている退室履歴に基づいて、退室管理端末３０側で退室者が退室しているか否かが検出され、退室している場合に入室許可が報知される。一方、退室者が退室していない場合には退室するまで待機し、退室してから上記入室許可が報知される。【選択図】図４
2011138462.tif 000002
【特許請求の範囲】
【請求項１】
出入り口を介して部屋の外側に設けられ、入室者を認証するための入室管理端末と、
前記出入り口を介して前記部屋の内側に設けられ、退室者を認証するための退室管理端末と、
前記入室管理端末により認証された前記入室者の入室履歴を記録すると共に、前記退室管理端末により認証された前記退室者の退室履歴を記録する入退室管理手段とを有する入退室管理システムであって、
前記入室管理端末は、
前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出手段が設けられ、
前記退室管理端末は、
前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出手段が設けられていることを特徴とする入退室管理システム。
【請求項２】
前記出入り口は、電気錠を有し、
前記入室管理端末は、
前記入室許可を報知したとき、前記電気錠の解錠状態を検出し、解錠されていなければ解錠して前記入室者を入室させ、所定時間経過後に前記入室許可の報知を停止する構成とされ、
前記退室管理端末は、
前記退室許可を報知したとき、前記電気錠の解錠状態を検出し、解錠されていなければ解錠して前記退室者を退室させ、所定時間経過後に前記退室許可の報知を停止する構成とされていることを特徴とする請求項１記載の入退室管理システム。
【請求項３】
前記入室管理端末は、
前記入室許可を報知するとき、入室フラグをアクティブモードとする一方、前記電気錠を解錠したとき、前記入室フラグをノンアクティブモードとする構成とされ、
前記退室管理端末は、
前記退室許可を報知するとき、退室フラグをアクティブモードとする一方、前記電気錠を解錠したとき、前記退室フラグをノンアクティブモードとする構成とされ、
前記入室管理端末の前記退室側状態検出手段は、
前記入室者を正常に認証したとき、前記退室フラグがアクティブモードの場合にはノンアクティブモードになるまで待機する構成とされ、
前記退室管理端末の入室側状態検出手段は、
前記退室者を正常に認証したとき、前記入室フラグがアクティブモードの場合にはノンアクティブモードになるまで待機する構成とされていることを特徴とする請求項２記載の入退室管理システム。
【請求項４】
前記入室管理端末は、
前記入室者のＩＤカードを読み取って認証するための第１のカード読取部を有し、
前記退室管理端末は、
前記退室者のＩＤカードを読み取って認証するための第２のカード読取部を有することを特徴とする請求項１、２又は３記載の入退室管理システム。
【請求項５】
前記入室管理端末は、
前記入室許可を視覚的に表示する入室許可表示手段を有し、
前記退室管理端末は、
前記退室許可を視覚的に表示する退室許可表示手段を有することを特徴とする請求項１、２、３又は４記載の入退室管理システム。
【請求項６】
出入り口を介して部屋の外側に設けられ、入室者を認証するための入室管理端末と、
前記出入り口を介して前記部屋の内側に設けられ、退室者を認証するための退室管理端末と、
前記入室管理端末により認証された前記入室者の入室履歴を記録すると共に、前記退室管理端末により認証された前記退室者の退室履歴を記録する入退室管理手段とを有する入退室管理システムに用いられる入退室管理方法であって、
前記入室管理端末では、
退室側状態検出手段が、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出処理を行い、
前記退室管理端末では、
入室側状態検出手段が、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出処理を行うことを特徴とする入退室管理方法。
【請求項７】
前記出入り口は、電気錠を有し、
前記入室管理端末が、前記入室許可を報知したとき、前記電気錠の解錠状態を検出し、解錠されていなければ解錠して前記入室者を入室させ、所定時間経過後に前記入室許可の報知を停止し、
前記退室管理端末が、前記退室許可を報知したとき、前記電気錠の解錠状態を検出し、解錠されていなければ解錠して前記退室者を退室させ、所定時間経過後に前記退室許可の報知を停止することを特徴とする請求項６記載の入退室管理方法。
【請求項８】
前記入室管理端末が、前記入室許可を報知するとき、入室フラグをアクティブモードとする一方、前記電気錠を解錠したとき、前記入室フラグをノンアクティブモードとし、
前記退室管理端末が、前記退室許可を報知するとき、退室フラグをアクティブモードとする一方、前記電気錠を解錠したとき、前記退室フラグをノンアクティブモードとし、
前記入室管理端末の前記退室側状態検出手段が、前記入室者を正常に認証したとき、前記退室フラグがアクティブモードの場合にはノンアクティブモードになるまで待機し、
前記退室管理端末の入室側状態検出手段が、前記退室者を正常に認証したとき、前記入室フラグがアクティブモードの場合にはノンアクティブモードになるまで待機することを特徴とする請求項７記載の入退室管理方法。
【請求項９】
前記入室管理端末では、第１のカード読取部が、前記入室者のＩＤカードを読み取って認証し、
前記退室管理端末では、第２のカード読取部が、前記退室者のＩＤカードを読み取って認証することを特徴とする請求項６、７又は８記載の入退室管理方法。
【請求項１０】
前記入室管理端末では、入室許可表示手段が、前記入室許可を視覚的に表示し、
前記退室管理端末では、退室許可表示手段が、前記退室許可を視覚的に表示することを特徴とする請求項６、７、８又は９記載の入退室管理方法。
【請求項１１】
コンピュータを、請求項１乃至５のいずれか一に記載の入退室管理システムとして機能させることを特徴とする入退室管理プログラム。
【発明の詳細な説明】
【技術分野】
【０００１】
この発明は、入退室管理システム、該システムに用いられる入退室管理方法及び入退室管理プログラムに係り、特に、一つの扉やゲートなどの出入り口で入室者の入室と退室者の退室とがほぼ同時に発生する場合に用いて好適な入退室管理システム、該システムに用いられる入退室管理方法及び入退室管理プログラムに関する。
【背景技術】
【０００２】
扉やゲートなどの出入り口を介して部屋の外側に入室管理端末を設けると共に、部屋の内側に退室管理端末を設け、同各端末で入室者及び退室者をＩＤカードなどで認証することにより、入退室管理システムを運用する場合、出入り口がガラス張りなどになっていて見通しが可能であれば、対向者が互いに目視で確認できるが、壁やパーテションなどになっていて見通しが不可能であれば、対向者の存在が互いに目視できない。このような対向者が互いに目視できない場合に、入室管理端末及び退室管理端末で、ほぼ同時に認証が行われた場合、どちらが優先されたかが不明になることがある。
【０００３】
この場合、認証後に出入り口が解錠されて開いた状態では、入室者及び退室者が共に認証済みと判断して疑うことなく入退場を行う。もし、対向側で先に認証されて出入り口が解錠された場合、未認証での通過となり、不正に入室又は退室したことになる。また、アンチパスバック機能が有効なシステムでは、認証なしでの入室又は退室が原因でアンチパスバックエラーが発生し、認証されていないことがここで判明する。特に、入退室者が多い場所では、このエラーの発生率が高くなる傾向があり、履歴上不正なログデータが結果として残る。このため、入退室者が多い場所でも、不正な入室及び退室が防止される仕組みが要求されている。
【０００４】
この種の関連技術としては、たとえば、特許文献１に記載された入退室管理システムがある。
この入退室管理システムでは、部屋の内側と外側に同一扉を介してそれぞれ対向するＩＤ判別手段が設けられ、それらのＩＤ判別に基づいて、入室者のデータには部屋内フラグを立てると共に、退室者のデータには部屋内フラグを消去することにより、アンチパスバックチェックが行われる。この場合、制御手段により、上記ＩＤ判別手段の一方がＩＤ判別を開始してから、同ＩＤ判別に基づいて上記扉が開いて再び閉じるまでの時間経過した後に、上記扉を介して対向する他方のＩＤ判別手段によるＩＤ判別が許可される。
【先行技術文献】
【特許文献】
【０００５】
【特許文献１】特許第２５５６９１４号公報
【発明の概要】
【発明が解決しようとする課題】
【０００６】
しかしながら、上記関連技術では、次のような課題があった。
すなわち、特許文献１に記載された入退室管理システムでは、ＩＤ判別手段の一方がＩＤ判別を開始してから、同ＩＤ判別に基づいて扉が開いて再び閉じるまでの時間経過した後でなければ、他方のＩＤ判別手段によるＩＤ判別が許可されないので、この発明とは処理方法が異なる。
【０００７】
この発明は、上述の事情に鑑みてなされたもので、入室者の入室と退室者の退室とがほぼ同時に発生する場合でも、不正な入室及び退室が防止される入退室管理システム、該システムに用いられる入退室管理方法及び入退室管理プログラムを提供することを目的としている。
【課題を解決するための手段】
【０００８】
上記課題を解決するために、この発明の第１の構成は、出入り口を介して部屋の外側に設けられ、入室者を認証するための入室管理端末と、前記出入り口を介して前記部屋の内側に設けられ、退室者を認証するための退室管理端末と、前記入室管理端末により認証された前記入室者の入室履歴を記録すると共に、前記退室管理端末により認証された前記退室者の退室履歴を記録する入退室管理手段とを有する入退室管理システムに係り、前記入室管理端末は、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出手段が設けられ、前記退室管理端末は、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出手段が設けられていることを特徴としている。
【０００９】
この発明の第２の構成は、出入り口を介して部屋の外側に設けられ、入室者を認証するための入室管理端末と、前記出入り口を介して前記部屋の内側に設けられ、退室者を認証するための退室管理端末と、前記入室管理端末により認証された前記入室者の入室履歴を記録すると共に、前記退室管理端末により認証された前記退室者の退室履歴を記録する入退室管理手段とを有する入退室管理システムに用いられる入退室管理方法に係り、前記入室管理端末では、退室側状態検出手段が、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出処理を行い、前記退室管理端末では、入室側状態検出手段が、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出処理を行うことを特徴としている。
【発明の効果】
【００１０】
この発明の構成によれば、退室者が先に認証されても、入室許可が表示されない場合、入室が制止され、入室者が再度認証を行うことができ、確実に入室履歴が残り、不正な入室が防止されてセキュリティレベルを向上させることができる。また、入室者が先に認証されても、退室許可が表示されない場合、退室が制止され、退室者が再度認証を行うことができ、確実に退室履歴が残り、不正な退室が防止されてセキュリティレベルを向上させることができる。
【図面の簡単な説明】
【００１１】
【図１】この発明の一実施形態である入退室管理システムの要部の電気的構成を示すブロック図である。
【図２】図１中の入室管理端末２０の要部の構成を示す模式図である。
【図３】図１中の退室管理端末３０の要部の構成を示す模式図である。
【図４】入室管理端末２０の動作を説明するフローチャートである。
【図５】退室管理端末３０の動作を説明するフローチャートである。
【発明を実施するための形態】
【００１２】
上記出入り口は、電気錠を有し、上記入室管理端末は、上記入室許可を報知したとき、上記電気錠の解錠状態を検出し、解錠されていなければ解錠して上記入室者を入室させ、所定時間経過後に上記入室許可の報知を停止する構成とされ、上記退室管理端末は、上記退室許可を報知したとき、上記電気錠の解錠状態を検出し、解錠されていなければ解錠して上記退室者を退室させ、所定時間経過後に上記退室許可の報知を停止する構成とされている入退室管理システムを実現する。
【００１３】
また、上記入室管理端末は、上記入室許可を報知するとき、入室フラグをアクティブモード（“１”）とする一方、上記電気錠を解錠したとき、上記入室フラグをノンアクティブモード（“０”）とする構成とされ、上記退室管理端末は、上記退室許可を報知するとき、退室フラグをアクティブモード（“１”）とする一方、上記電気錠を解錠したとき、上記退室フラグをノンアクティブモード（“０”）とする構成とされ、上記入室管理端末の上記退室側状態検出手段は、上記入室者を正常に認証したとき、上記退室フラグがアクティブモード（“１”）の場合にはノンアクティブモード（“０”）になるまで待機する構成とされ、上記退室管理端末の入室側状態検出手段は、上記退室者を正常に認証したとき、上記入室フラグがアクティブモード（“１”）の場合にはノンアクティブモード（“０”）になるまで待機する構成とされている。
【００１４】
また、上記入室管理端末は、上記入室者のＩＤカードを読み取って認証するための第１のカード読取部を有し、上記退室管理端末は、上記退室者のＩＤカードを読み取って認証するための第２のカード読取部を有する。また、上記入室管理端末は、上記入室許可を視覚的に表示する入室許可表示手段（入室許可表示部）を有し、上記退室管理端末は、上記退室許可を視覚的に表示する退室許可表示手段（退室許可表示部）を有する。
【実施形態】
【００１５】
図１は、この発明の一実施形態である入退室管理システムの要部の電気的構成を示すブロック図である。
この形態の入退室管理システムは、同図に示すように、入退室管理サーバ１０と、入室管理端末２０と、退室管理端末３０とから構成され、これらが、たとえばイーサネット（ETHERNET（登録商標））ＮＷなどのＬＡＮ（ローカル・エリア・ネットワーク）を介して接続されている。入室管理端末２０は、扉４０を介して部屋の外側に設けられ、入室者を認証するためのものである。扉４０は、電気錠４１を有している。退室管理端末３０は、扉４０を介して部屋の内側に設けられ、退室者を認証するためのものである。入退室管理サーバ１０は、記憶装置１１及びＡＰＢ（Anti-Pass Back）エラーテーブル１２を備え、入室管理端末２０により認証された入室者の入室履歴を記憶装置１１に記録すると共に、退室管理端末３０により認証された退室者の退室履歴を同記憶装置１１に記録する他、アンチパスバックエラーが発生したとき、ＡＰＢエラーテーブル１２に記録する。
【００１６】
この入室管理端末２０は、特に、この実施形態では、入室者のＩＤが記録されているＩＤカードを読み取って認証するためのＩＤカード読取部２１を有している。また、入室管理端末２０には、退室側状態検出部２２が設けられている。退室側状態検出部２２は、ＩＤカード読取部２１で入室者を正常に認証したとき、入退室管理サーバ１０の記憶装置１１に記録されている退室履歴に基づいて、退室管理端末３０側で退室者が退室しているか否かを検出し、退室している場合に入室許可を報知する一方、退室していない場合には退室するまで待機し、退室してから入室許可を報知する。また、入室管理端末２０は、入室許可を報知したとき、扉４０の電気錠４１の解錠状態を検出し、解錠されていなければ解錠して入室者を入室させ、所定時間経過後に入室許可の報知を停止する。また、入室管理端末２０は、入室許可を報知するとき、入室フラグをアクティブモード（“１”）とする一方、電気錠４１を解錠したとき、上記入室フラグをノンアクティブモード（“０”）とする。
【００１７】
また、退室管理端末３０は、特に、この実施形態では、退室者のＩＤが記録されているＩＤカードを読み取って認証するためのＩＤカード読取部３１を有している。また、退室管理端末３０は、入室側状態検出部３２が設けられている。入室側状態検出部３２は、ＩＤカード読取部３１で退室者を正常に認証したとき、入退室管理サーバ１０の記憶装置１１に記録されている入室履歴に基づいて、入室管理端末２０側で入室者が入室しているか否かを検出し、入室している場合に退室許可を報知する一方、入室していない場合には入室するまで待機し、入室してから退室許可を報知する。また、退室管理端末３０は、退室許可を報知したとき、扉４０の電気錠４１の解錠状態を検出し、解錠されていなければ解錠して退室者を退室させ、所定時間経過後に退室許可の報知を停止する。また、退室管理端末３０は、退室許可を報知するとき、退室フラグをアクティブモード（“１”）とする一方、電気錠４１を解錠したとき、上記退室フラグをノンアクティブモード（“０”）とする。
【００１８】
入室管理端末２０の退室側状態検出部２２は、入室者を正常に認証したとき、上記退室フラグがアクティブモード（“１”）の場合にはノンアクティブモード（“０”）になるまで待機する。また、退室管理端末３０の入室側状態検出部３２は、退室者を正常に認証したとき、上記入室フラグがアクティブモード（“１”）の場合にはノンアクティブモード（“０”）になるまで待機する。この入退室管理システムは、入退室管理プログラムに基づいて機能するコンピュータで構成されている。
【００１９】
図２は、図１中の入室管理端末２０の要部の構成を示す模式図である。
この入室管理端末２０は、同図２に示すように、ＩＤカード読取部２１と、電源表示部２３と、解錠表示部２４と、入室許可表示部２５とを備えている。ＩＤカード読取部２１は、入室管理端末２０に内蔵されている。電源表示部２３は、たとえばＬＥＤ（Light Emitting Diode、発光ダイオード）などで構成され、入室管理端末２０の電源がオン状態のときに点灯する。解錠表示部２４は、たとえばＬＥＤなどで構成され、電気錠４１が解錠されているときに点灯する。入室許可表示部２５は、たとえばＬＥＤなどで構成され、点灯することより、入室許可を視覚的に表示する。
【００２０】
図３は、図１中の退室管理端末３０の要部の構成を示す模式図である。
この退室管理端末３０は、同図３に示すように、ＩＤカード読取部３１と、電源表示部３３と、解錠表示部３４と、退室許可表示部３５とを備えている。ＩＤカード読取部３１は、退室管理端末３０に内蔵されている。電源表示部３３は、たとえばＬＥＤなどで構成され、退室管理端末３０の電源がオン状態のときに点灯する。解錠表示部３４は、たとえばＬＥＤなどで構成され、電気錠４１が解錠されているときに点灯する。退室許可表示部３５は、たとえばＬＥＤなどで構成され、点灯することより、退室許可を視覚的に表示する。
【００２１】
図４は、入室管理端末２０の動作を説明するフローチャート、及び図５が、退室管理端末３０の動作を説明するフローチャートである。
これらの図を参照して、この形態の入退室管理システムに用いられる入退室管理方法の処理内容について説明する。
この入退室管理システムでは、入室管理端末２０のカード読取部２１により、入室者のＩＤカードを読み取って入室者が正常に認証されたとき、退室側状態検出手段（退室側状態検出部２２）により、入退室管理手段（入退室管理サーバ１０）に記録されている退室履歴に基づいて、退室管理端末３０側で退室者が退室しているか否かが検出され、退室している場合に入室許可が報知される一方、退室していない場合には退室するまで待機し、退室してから上記入室許可が報知される（退室側状態検出処理）。この場合、入室許可表示手段（入室許可表示部２５）により、上記入室許可が視覚的に表示される。
【００２２】
また、退室管理端末３０のカード読取部３１により、退室者のＩＤカードを読み取って退室者を正常に認証されたとき、入室側状態検出手段（入室側状態検出部３２）により、入退室管理手段（入退室管理サーバ１０）に記録されている入室履歴に基づいて、入室管理端末２０側で入室者が入室しているか否かが検出され、入室している場合に退室許可が報知される一方、入室していない場合には入室するまで待機し、入室してから上記退室許可が報知される（入室側状態検出処理）。この場合、退室許可表示手段（退室許可表示部３５）により、上記退室許可が視覚的に表示される。
【００２３】
また、入室管理端末２０により、上記入室許可が報知されたとき、出入り口（扉４０）の電気錠４１の解錠状態が検出され、解錠されていなければ解錠して入室者を入室させ、所定時間経過後に上記入室許可の報知が停止される。一方、退室管理端末３０により、上記退室許可が報知されたとき、電気錠４１の解錠状態が検出され、解錠されていなければ解錠して退室者を退室させ、所定時間経過後に上記退室許可の報知が停止される。
【００２４】
この場合、入室管理端末２０では、入室許可を報知するとき、入室フラグがアクティブモード（“１”）とする一方、電気錠４１を解錠したとき、上記入室フラグをノンアクティブモード（“０”）とする。一方、退室管理端末３０では、退室許可を報知するとき、退室フラグがアクティブモード（“１”）とする一方、電気錠４１を解錠したとき、上記退室フラグをノンアクティブモード（“０”）とする。また、入室管理端末２０の退室側状態検出手段（退室側状態検出部２２）では、入室者を正常に認証したとき、退室フラグがアクティブモード（“１”）の場合にはノンアクティブモード（“０”）になるまで待機する。一方、退室管理端末３０の入室側状態検出手段（入室側状態検出部３２）では、退室者を正常に認証したとき、入室フラグがアクティブモード（“１”）の場合にはノンアクティブモード（“０”）になるまで待機する。
【００２５】
すなわち、入室管理端末２０では、図４に示すように、入室者のＩＤカードがカード読取部２１で読み取られ（ステップＡ３）、正常に読み取られたか否かがチェックされる（ステップＡ４）。正常に読み取られたとき、退室フラグがチェックされ（ステップＡ５）、退室フラグが“０”であれば入室が許可され、入室フラグが“１”にセットされ（ステップＡ６）、入室許可表示部２５が点灯する（ステップＡ７）。入室が許可されたならば、解錠状態がチェックされ（ステップＡ８）、電気錠４１が解錠され（ステップＡ９）、入室者が入室し、入室フラグが“０”になる（ステップＡ１）。そして、所定時間経過後に、入室許可表示部２５が消灯する（ステップＡ２）。特に、この実施形態では、上記ステップＡ５で、退室フラグが“１”であれば、同退室フラグが“０”になるまで待機し（ステップＡ１０）、その後、ステップＡ６へ進む。
【００２６】
また、退室管理端末３０では、図５に示すように、退室者のＩＤカードがカード読取部３１で読み取られ（ステップＢ３）、正常に読み取られたか否かがチェックされる（ステップＢ４）。正常に読み取られたとき、入室フラグがチェックされ（ステップＢ５）、入室フラグが“０”であれば退室が許可され、退室フラグが“１”にセットされ（ステップＢ６）、退室許可表示部３５が点灯する（ステップＢ７）。退室が許可されたならば、解錠状態がチェックされ（ステップＢ８）、電気錠４１が解錠され（ステップＢ９）、退室者が退室し、退室フラグが“０”になる（ステップＢ１）。そして、所定時間経過後に、退室許可表示部３５が消灯する（ステップＢ２）。特に、この実施形態では、上記ステップＢ５で、入室フラグが“１”であれば、同入室フラグが“０”になるまで待機し（ステップＢ１０）、その後、ステップＢ６へ進む。
【００２７】
以上のように、この実施形態では、入室管理端末２０の退室側状態検出部２２により、入退室管理サーバ１０に記録されている退室履歴に基づいて、退室管理端末３０側で退室者が退室しているか否かが検出され、退室している場合に入室許可が表示される一方、退室していない場合には退室するまで待機し、退室してから上記入室許可が表示されるので、退室者が先に認証されても、入室許可が表示されない場合、入室が制止され、入室者が再度認証を行うことができ、ログデータ上においても確実に入室履歴が残るため、セキュリティレベルが向上する。同様に、退室管理端末３０の入室側状態検出部３２により、入退室管理サーバ１０に記録されている入室履歴に基づいて、入室管理端末２０側で入室者が入室しているか否かが検出され、入室している場合に退室許可が表示される一方、入室していない場合には入室するまで待機し、入力してから上記退室許可が表示されるので、入室者が先に認証されても、退室許可が表示されない場合、退室が制止され、退室者が再度認証を行うことができ、確実に退室履歴が残るため、セキュリティレベルが向上する。
【００２８】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、扉４０は、開かれた後、人がいるか否かをセンサで検知し、人がいないことが検知されると電気的な制御により閉められて施錠されるようなものでも良い。また、扉４０は、ゲートなどでも良い。また、入室管理端末２０は、入室者が操作してＩＤを入力するためのテンキーが設けられていても良い。同様に、退室管理端末３０は、退室者が操作してＩＤを入力するためのテンキーが設けられていても良い。また、入室許可及び退室許可の報知は、たとえば、アラーム音や、音声合成によるメッセージなどを発生するようにしても良い。
【産業上の利用可能性】
【００２９】
この発明は、入室者と退室者とを管理する入退室管理システム全般に適用でき、特に、一つの扉やゲートなどの出入り口で入室者の入室と退室者の退室とがほぼ同時に発生する場合に有効である。
【符号の説明】
【００３０】
１０      入退室管理サーバ（入退室管理手段の一部）
１１      記憶装置（入退室管理手段の一部）
２０      入室管理端末
２１      ＩＤカード読取部（第１のカード読取部）
２２      退室側状態検出部（退室側状態検出手段）
２５      入室許可表示部（入室許可表示手段）
３０      退室管理端末
３１      ＩＤカード読取部（第２のカード読取部）
３２      入室側状態検出部（入室側状態検出手段）
３５      退室許可表示部（退室許可表示手段）
４０      扉（出入り口）
４１      電気錠
ＮＷ      イーサネット（ETHERNET）
【図１】
2011138462.tif 000003
【図２】
2011138462.tif 000004
【図３】
2011138462.tif 000005
【図４】
2011138462.tif 000006
【図５】
2011138462.tif 000007
【手続補正書】
【提出日】平成22年1月6日(2010.1.6)
【手続補正１】
【補正対象書類名】明細書
【補正対象項目名】全文
【補正方法】変更
【補正の内容】
【発明の詳細な説明】
【技術分野】
【０００１】
この発明は、入退室管理システム、該システムに用いられる入退室管理方法及び入退室管理プログラムに係り、特に、一つの扉やゲートなどの出入り口で入室者の入室と退室者の退室とがほぼ同時に発生する場合に用いて好適な入退室管理システム、該システムに用いられる入退室管理方法及び入退室管理プログラムに関する。
【背景技術】
【０００２】
扉やゲートなどの出入り口を介して部屋の外側に入室管理端末を設けると共に、部屋の内側に退室管理端末を設け、同各端末で入室者及び退室者をＩＤカードなどで認証することにより、入退室管理システムを運用する場合、出入り口がガラス張りなどになっていて見通しが可能であれば、対向者が互いに目視で確認できるが、壁やパーテションなどになっていて見通しが不可能であれば、対向者の存在が互いに目視できない。このような対向者が互いに目視できない場合に、入室管理端末及び退室管理端末で、ほぼ同時に認証が行われた場合、どちらが優先されたかが不明になることがある。
【０００３】
この場合、認証後に出入り口が解錠されて開いた状態では、入室者及び退室者が共に認証済みと判断して疑うことなく入退場を行う。もし、対向側で先に認証されて出入り口が解錠された場合、未認証での通過となり、不正に入室又は退室したことになる。また、アンチパスバック機能が有効なシステムでは、認証なしでの入室又は退室が原因でアンチパスバックエラーが発生し、認証されていないことがここで判明する。特に、入退室者が多い場所では、このエラーの発生率が高くなる傾向があり、履歴上不正なログデータが結果として残る。このため、入退室者が多い場所でも、不正な入室及び退室が防止される仕組みが要求されている。
【０００４】
この種の関連技術としては、たとえば、特許文献１に記載された入退室管理システムがある。
この入退室管理システムでは、部屋の内側と外側に同一扉を介してそれぞれ対向するＩＤ判別手段が設けられ、それらのＩＤ判別に基づいて、入室者のデータには部屋内フラグを立てると共に、退室者のデータには部屋内フラグを消去することにより、アンチパスバックチェックが行われる。この場合、制御手段により、上記ＩＤ判別手段の一方がＩＤ判別を開始してから、同ＩＤ判別に基づいて上記扉が開いて再び閉じるまでの時間経過した後に、上記扉を介して対向する他方のＩＤ判別手段によるＩＤ判別が許可される。
【先行技術文献】
【特許文献】
【０００５】
【特許文献１】特許第２５５６９１４号公報
【発明の概要】
【発明が解決しようとする課題】
【０００６】
しかしながら、上記関連技術では、次のような課題があった。
すなわち、特許文献１に記載された入退室管理システムでは、ＩＤ判別手段の一方がＩＤ判別を開始してから、同ＩＤ判別に基づいて扉が開いて再び閉じるまでの時間経過した後でなければ、他方のＩＤ判別手段によるＩＤ判別が許可されないので、この発明とは処理方法が異なる。
【０００７】
この発明は、上述の事情に鑑みてなされたもので、入室者の入室と退室者の退室とがほぼ同時に発生する場合でも、不正な入室及び退室が防止される入退室管理システム、該システムに用いられる入退室管理方法及び入退室管理プログラムを提供することを目的としている。
【課題を解決するための手段】
【０００８】
上記課題を解決するために、この発明の第１の構成は、出入り口を介して部屋の外側に設けられ、入室者を認証するための入室管理端末と、前記出入り口を介して前記部屋の内側に設けられ、退室者を認証するための退室管理端末と、前記入室管理端末により認証された前記入室者の入室履歴を記録すると共に、前記退室管理端末により認証された前記退室者の退室履歴を記録する入退室管理手段とを有する入退室管理システムに係り、前記入室管理端末は、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出手段が設けられ、前記退室管理端末は、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出手段が設けられていることを特徴としている。
【０００９】
この発明の第２の構成は、出入り口を介して部屋の外側に設けられ、入室者を認証するための入室管理端末と、前記出入り口を介して前記部屋の内側に設けられ、退室者を認証するための退室管理端末と、前記入室管理端末により認証された前記入室者の入室履歴を記録すると共に、前記退室管理端末により認証された前記退室者の退室履歴を記録する入退室管理手段とを有する入退室管理システムに用いられる入退室管理方法に係り、前記入室管理端末では、退室側状態検出手段が、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出処理を行い、前記退室管理端末では、入室側状態検出手段が、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出処理を行うことを特徴としている。
【発明の効果】
【００１０】
この発明の構成によれば、退室者が先に認証されても、入室許可が表示されない場合、入室が制止され、入室者が再度認証を行うことができ、確実に入室履歴が残り、不正な入室が防止されてセキュリティレベルを向上させることができる。また、入室者が先に認証されても、退室許可が表示されない場合、退室が制止され、退室者が再度認証を行うことができ、確実に退室履歴が残り、不正な退室が防止されてセキュリティレベルを向上させることができる。
【図面の簡単な説明】
【００１１】
【図１】この発明の一実施形態である入退室管理システムの要部の電気的構成を示すブロック図である。
【図２】図１中の入室管理端末２０の要部の構成を示す模式図である。
【図３】図１中の退室管理端末３０の要部の構成を示す模式図である。
【図４】入室管理端末２０の動作を説明するフローチャートである。
【図５】退室管理端末３０の動作を説明するフローチャートである。
【発明を実施するための形態】
【００１２】
上記出入り口は、電気錠を有し、上記入室管理端末は、上記入室許可を報知したとき、上記電気錠の解錠状態を検出し、解錠されていなければ解錠して上記入室者を入室させ、所定時間経過後に上記入室許可の報知を停止する構成とされ、上記退室管理端末は、上記退室許可を報知したとき、上記電気錠の解錠状態を検出し、解錠されていなければ解錠して上記退室者を退室させ、所定時間経過後に上記退室許可の報知を停止する構成とされている入退室管理システムを実現する。
【００１３】
また、上記入室管理端末は、上記入室許可を報知するとき、入室フラグをアクティブモード（“１”）とする一方、上記電気錠を解錠したとき、上記入室フラグをノンアクティブモード（“０”）とする構成とされ、上記退室管理端末は、上記退室許可を報知するとき、退室フラグをアクティブモード（“１”）とする一方、上記電気錠を解錠したとき、上記退室フラグをノンアクティブモード（“０”）とする構成とされ、上記入室管理端末の上記退室側状態検出手段は、上記入室者を正常に認証したとき、上記退室フラグがアクティブモード（“１”）の場合にはノンアクティブモード（“０”）になるまで待機する構成とされ、上記退室管理端末の入室側状態検出手段は、上記退室者を正常に認証したとき、上記入室フラグがアクティブモード（“１”）の場合にはノンアクティブモード（“０”）になるまで待機する構成とされている。
【００１４】
また、上記入室管理端末は、上記入室者のＩＤカードを読み取って認証するための第１のカード読取部を有し、上記退室管理端末は、上記退室者のＩＤカードを読み取って認証するための第２のカード読取部を有する。また、上記入室管理端末は、上記入室許可を視覚的に表示する入室許可表示手段（入室許可表示部）を有し、上記退室管理端末は、上記退室許可を視覚的に表示する退室許可表示手段（退室許可表示部）を有する。
【実施形態】
【００１５】
図１は、この発明の一実施形態である入退室管理システムの要部の電気的構成を示すブロック図である。
この形態の入退室管理システムは、同図に示すように、入退室管理サーバ１０と、入室管理端末２０と、退室管理端末３０とから構成され、これらが、たとえばイーサネット（ETHERNET（登録商標））ＮＷなどのＬＡＮ（ローカル・エリア・ネットワーク）を介して接続されている。入室管理端末２０は、扉４０を介して部屋の外側に設けられ、入室者を認証するためのものである。扉４０は、電気錠４１を有している。退室管理端末３０は、扉４０を介して部屋の内側に設けられ、退室者を認証するためのものである。入退室管理サーバ１０は、記憶装置１１及びＡＰＢ（Anti-Pass Back）エラーテーブル１２を備え、入室管理端末２０により認証された入室者の入室履歴を記憶装置１１に記録すると共に、退室管理端末３０により認証された退室者の退室履歴を同記憶装置１１に記録する他、アンチパスバックエラーが発生したとき、ＡＰＢエラーテーブル１２に記録する。
【００１６】
この入室管理端末２０は、特に、この実施形態では、入室者のＩＤが記録されているＩＤカードを読み取って認証するためのＩＤカード読取部２１を有している。また、入室管理端末２０には、退室側状態検出部２２が設けられている。退室側状態検出部２２は、ＩＤカード読取部２１で入室者を正常に認証したとき、入退室管理サーバ１０の記憶装置１１に記録されている退室履歴に基づいて、退室管理端末３０側で退室者が退室しているか否かを検出し、退室している場合に入室許可を報知する一方、退室していない場合には退室するまで待機し、退室してから入室許可を報知する。また、入室管理端末２０は、入室許可を報知したとき、扉４０の電気錠４１の解錠状態を検出し、解錠されていなければ解錠して入室者を入室させ、所定時間経過後に入室許可の報知を停止する。また、入室管理端末２０は、入室許可を報知するとき、入室フラグをアクティブモード（“１”）とする一方、電気錠４１を解錠したとき、上記入室フラグをノンアクティブモード（“０”）とする。
【００１７】
また、退室管理端末３０は、特に、この実施形態では、退室者のＩＤが記録されているＩＤカードを読み取って認証するためのＩＤカード読取部３１を有している。また、退室管理端末３０は、入室側状態検出部３２が設けられている。入室側状態検出部３２は、ＩＤカード読取部３１で退室者を正常に認証したとき、入退室管理サーバ１０の記憶装置１１に記録されている入室履歴に基づいて、入室管理端末２０側で入室者が入室しているか否かを検出し、入室している場合に退室許可を報知する一方、入室していない場合には入室するまで待機し、入室してから退室許可を報知する。また、退室管理端末３０は、退室許可を報知したとき、扉４０の電気錠４１の解錠状態を検出し、解錠されていなければ解錠して退室者を退室させ、所定時間経過後に退室許可の報知を停止する。また、退室管理端末３０は、退室許可を報知するとき、退室フラグをアクティブモード（“１”）とする一方、電気錠４１を解錠したとき、上記退室フラグをノンアクティブモード（“０”）とする。
【００１８】
入室管理端末２０の退室側状態検出部２２は、入室者を正常に認証したとき、上記退室フラグがアクティブモード（“１”）の場合にはノンアクティブモード（“０”）になるまで待機する。また、退室管理端末３０の入室側状態検出部３２は、退室者を正常に認証したとき、上記入室フラグがアクティブモード（“１”）の場合にはノンアクティブモード（“０”）になるまで待機する。この入退室管理システムは、入退室管理プログラムに基づいて機能するコンピュータで構成されている。
【００１９】
図２は、図１中の入室管理端末２０の要部の構成を示す模式図である。
この入室管理端末２０は、同図２に示すように、ＩＤカード読取部２１と、電源表示部２３と、解錠表示部２４と、入室許可表示部２５とを備えている。ＩＤカード読取部２１は、入室管理端末２０に内蔵されている。電源表示部２３は、たとえばＬＥＤ（Light Emitting Diode、発光ダイオード）などで構成され、入室管理端末２０の電源がオン状態のときに点灯する。解錠表示部２４は、たとえばＬＥＤなどで構成され、電気錠４１が解錠されているときに点灯する。入室許可表示部２５は、たとえばＬＥＤなどで構成され、点灯することより、入室許可を視覚的に表示する。
【００２０】
図３は、図１中の退室管理端末３０の要部の構成を示す模式図である。
この退室管理端末３０は、同図３に示すように、ＩＤカード読取部３１と、電源表示部３３と、解錠表示部３４と、退室許可表示部３５とを備えている。ＩＤカード読取部３１は、退室管理端末３０に内蔵されている。電源表示部３３は、たとえばＬＥＤなどで構成され、退室管理端末３０の電源がオン状態のときに点灯する。解錠表示部３４は、たとえばＬＥＤなどで構成され、電気錠４１が解錠されているときに点灯する。退室許可表示部３５は、たとえばＬＥＤなどで構成され、点灯することより、退室許可を視覚的に表示する。
【００２１】
図４は、入室管理端末２０の動作を説明するフローチャート、及び図５が、退室管理端末３０の動作を説明するフローチャートである。
これらの図を参照して、この形態の入退室管理システムに用いられる入退室管理方法の処理内容について説明する。
この入退室管理システムでは、入室管理端末２０のカード読取部２１により、入室者のＩＤカードを読み取って入室者が正常に認証されたとき、退室側状態検出手段（退室側状態検出部２２）により、入退室管理手段（入退室管理サーバ１０）に記録されている退室履歴に基づいて、退室管理端末３０側で退室者が退室しているか否かが検出され、退室している場合に入室許可が報知される一方、退室していない場合には退室するまで待機し、退室してから上記入室許可が報知される（退室側状態検出処理）。この場合、入室許可表示手段（入室許可表示部２５）により、上記入室許可が視覚的に表示される。
【００２２】
また、退室管理端末３０のカード読取部３１により、退室者のＩＤカードを読み取って退室者を正常に認証されたとき、入室側状態検出手段（入室側状態検出部３２）により、入退室管理手段（入退室管理サーバ１０）に記録されている入室履歴に基づいて、入室管理端末２０側で入室者が入室しているか否かが検出され、入室している場合に退室許可が報知される一方、入室していない場合には入室するまで待機し、入室してから上記退室許可が報知される（入室側状態検出処理）。この場合、退室許可表示手段（退室許可表示部３５）により、上記退室許可が視覚的に表示される。
【００２３】
また、入室管理端末２０により、上記入室許可が報知されたとき、出入り口（扉４０）の電気錠４１の解錠状態が検出され、解錠されていなければ解錠して入室者を入室させ、所定時間経過後に上記入室許可の報知が停止される。一方、退室管理端末３０により、上記退室許可が報知されたとき、電気錠４１の解錠状態が検出され、解錠されていなければ解錠して退室者を退室させ、所定時間経過後に上記退室許可の報知が停止される。
【００２４】
この場合、入室管理端末２０では、入室許可を報知するとき、入室フラグがアクティブモード（“１”）とする一方、電気錠４１を解錠したとき、上記入室フラグをノンアクティブモード（“０”）とする。一方、退室管理端末３０では、退室許可を報知するとき、退室フラグがアクティブモード（“１”）とする一方、電気錠４１を解錠したとき、上記退室フラグをノンアクティブモード（“０”）とする。また、入室管理端末２０の退室側状態検出手段（退室側状態検出部２２）では、入室者を正常に認証したとき、退室フラグがアクティブモード（“１”）の場合にはノンアクティブモード（“０”）になるまで待機する。一方、退室管理端末３０の入室側状態検出手段（入室側状態検出部３２）では、退室者を正常に認証したとき、入室フラグがアクティブモード（“１”）の場合にはノンアクティブモード（“０”）になるまで待機する。
【００２５】
すなわち、入室管理端末２０では、図４に示すように、入室者のＩＤカードがカード読取部２１で読み取られ（ステップＡ３）、正常に読み取られたか否かがチェックされる（ステップＡ４）。正常に読み取られたとき、退室フラグがチェックされ（ステップＡ５）、退室フラグが“０”であれば入室が許可され、入室フラグが“１”にセットされ（ステップＡ６）、入室許可表示部２５が点灯する（ステップＡ７）。入室が許可されたならば、解錠状態がチェックされ（ステップＡ８）、電気錠４１が解錠され（ステップＡ９）、入室者が入室し、入室フラグが“０”になる（ステップＡ１）。そして、所定時間経過後に、入室許可表示部２５が消灯する（ステップＡ２）。特に、この実施形態では、上記ステップＡ５で、退室フラグが“１”であれば、同退室フラグが“０”になるまで待機し（ステップＡ１０）、その後、ステップＡ６へ進む。
【００２６】
また、退室管理端末３０では、図５に示すように、退室者のＩＤカードがカード読取部３１で読み取られ（ステップＢ３）、正常に読み取られたか否かがチェックされる（ステップＢ４）。正常に読み取られたとき、入室フラグがチェックされ（ステップＢ５）、入室フラグが“０”であれば退室が許可され、退室フラグが“１”にセットされ（ステップＢ６）、退室許可表示部３５が点灯する（ステップＢ７）。退室が許可されたならば、解錠状態がチェックされ（ステップＢ８）、電気錠４１が解錠され（ステップＢ９）、退室者が退室し、退室フラグが“０”になる（ステップＢ１）。そして、所定時間経過後に、退室許可表示部３５が消灯する（ステップＢ２）。特に、この実施形態では、上記ステップＢ５で、入室フラグが“１”であれば、同入室フラグが“０”になるまで待機し（ステップＢ１０）、その後、ステップＢ６へ進む。
【００２７】
以上のように、この実施形態では、入室管理端末２０の退室側状態検出部２２により、入退室管理サーバ１０に記録されている退室履歴に基づいて、退室管理端末３０側で退室者が退室しているか否かが検出され、退室している場合に入室許可が表示される一方、退室していない場合には退室するまで待機し、退室してから上記入室許可が表示されるので、退室者が先に認証されても、入室許可が表示されない場合、入室が制止され、入室者が再度認証を行うことができ、ログデータ上においても確実に入室履歴が残るため、セキュリティレベルが向上する。同様に、退室管理端末３０の入室側状態検出部３２により、入退室管理サーバ１０に記録されている入室履歴に基づいて、入室管理端末２０側で入室者が入室しているか否かが検出され、入室している場合に退室許可が表示される一方、入室していない場合には入室するまで待機し、入力してから上記退室許可が表示されるので、入室者が先に認証されても、退室許可が表示されない場合、退室が制止され、退室者が再度認証を行うことができ、確実に退室履歴が残るため、セキュリティレベルが向上する。
【００２８】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、扉４０は、開かれた後、人がいるか否かをセンサで検知し、人がいないことが検知されると電気的な制御により閉められて施錠されるようなものでも良い。また、扉４０は、ゲートなどでも良い。また、入室管理端末２０は、入室者が操作してＩＤを入力するためのテンキーが設けられていても良い。同様に、退室管理端末３０は、退室者が操作してＩＤを入力するためのテンキーが設けられていても良い。また、入室許可及び退室許可の報知は、たとえば、アラーム音や、音声合成によるメッセージなどを発生するようにしても良い。
【産業上の利用可能性】
【００２９】
この発明は、入室者と退室者とを管理する入退室管理システム全般に適用でき、特に、一つの扉やゲートなどの出入り口で入室者の入室と退室者の退室とがほぼ同時に発生する場合に有効である。
【００３０】
（付記１）
出入り口を介して部屋の外側に設けられ、入室者を認証するための入室管理端末と、
前記出入り口を介して前記部屋の内側に設けられ、退室者を認証するための退室管理端末と、
前記入室管理端末により認証された前記入室者の入室履歴を記録すると共に、前記退室管理端末により認証された前記退室者の退室履歴を記録する入退室管理手段とを有する入退室管理システムに用いられる入退室管理方法であって、
前記入室管理端末では、
退室側状態検出手段が、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出処理を行い、
前記退室管理端末では、
入室側状態検出手段が、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出処理を行い、かつ、
前記入室管理端末では、入室許可表示手段が、前記入室許可を視覚的に表示し、
前記退室管理端末では、退室許可表示手段が、前記退室許可を視覚的に表示することを特徴とする入退室管理方法。
【００３１】
１０      入退室管理サーバ（入退室管理手段の一部）
１１      記憶装置（入退室管理手段の一部）
２０      入室管理端末
２１      ＩＤカード読取部（第１のカード読取部）
２２      退室側状態検出部（退室側状態検出手段）
２５      入室許可表示部（入室許可表示手段）
３０      退室管理端末
３１      ＩＤカード読取部（第２のカード読取部）
３２      入室側状態検出部（入室側状態検出手段）
３５      退室許可表示部（退室許可表示手段）
４０      扉（出入り口）
４１      電気錠
ＮＷ      イーサネット（ETHERNET）
【手続補正２】
【補正対象書類名】特許請求の範囲
【補正対象項目名】全文
【補正方法】変更
【補正の内容】
【特許請求の範囲】
【請求項１】
出入り口を介して部屋の外側に設けられ、入室者を認証するための入室管理端末と、
前記出入り口を介して前記部屋の内側に設けられ、退室者を認証するための退室管理端末と、
前記入室管理端末により認証された前記入室者の入室履歴を記録すると共に、前記退室管理端末により認証された前記退室者の退室履歴を記録する入退室管理手段とを有する入退室管理システムであって、
前記入室管理端末は、
前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出手段が設けられ、
前記退室管理端末は、
前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出手段が設けられていることを特徴とする入退室管理システム。
【請求項２】
前記出入り口は、電気錠を有し、
前記入室管理端末は、
前記入室許可を報知したとき、前記電気錠の解錠状態を検出し、解錠されていなければ解錠して前記入室者を入室させ、所定時間経過後に前記入室許可の報知を停止する構成とされ、
前記退室管理端末は、
前記退室許可を報知したとき、前記電気錠の解錠状態を検出し、解錠されていなければ解錠して前記退室者を退室させ、所定時間経過後に前記退室許可の報知を停止する構成とされていることを特徴とする請求項１記載の入退室管理システム。
【請求項３】
前記入室管理端末は、
前記入室許可を報知するとき、入室フラグをアクティブモードとする一方、前記電気錠を解錠したとき、前記入室フラグをノンアクティブモードとする構成とされ、
前記退室管理端末は、
前記退室許可を報知するとき、退室フラグをアクティブモードとする一方、前記電気錠を解錠したとき、前記退室フラグをノンアクティブモードとする構成とされ、
前記入室管理端末の前記退室側状態検出手段は、
前記入室者を正常に認証したとき、前記退室フラグがアクティブモードの場合にはノンアクティブモードになるまで待機する構成とされ、
前記退室管理端末の入室側状態検出手段は、
前記退室者を正常に認証したとき、前記入室フラグがアクティブモードの場合にはノンアクティブモードになるまで待機する構成とされていることを特徴とする請求項２記載の入退室管理システム。
【請求項４】
前記入室管理端末は、
前記入室者のＩＤカードを読み取って認証するための第１のカード読取部を有し、
前記退室管理端末は、
前記退室者のＩＤカードを読み取って認証するための第２のカード読取部を有することを特徴とする請求項１、２又は３記載の入退室管理システム。
【請求項５】
前記入室管理端末は、
前記入室許可を視覚的に表示する入室許可表示手段を有し、
前記退室管理端末は、
前記退室許可を視覚的に表示する退室許可表示手段を有することを特徴とする請求項１、２、３又は４記載の入退室管理システム。
【請求項６】
出入り口を介して部屋の外側に設けられ、入室者を認証するための入室管理端末と、
前記出入り口を介して前記部屋の内側に設けられ、退室者を認証するための退室管理端末と、
前記入室管理端末により認証された前記入室者の入室履歴を記録すると共に、前記退室管理端末により認証された前記退室者の退室履歴を記録する入退室管理手段とを有する入退室管理システムに用いられる入退室管理方法であって、
前記入室管理端末では、
退室側状態検出手段が、前記入室者を正常に認証したとき、前記入退室管理手段に記録されている前記退室履歴に基づいて、前記退室管理端末側で前記退室者が退室しているか否かを検出し、退室している場合に入室許可を報知する一方、退室していない場合には退室するまで待機し、退室してから前記入室許可を報知する退室側状態検出処理を行い、
前記退室管理端末では、
入室側状態検出手段が、前記退室者を正常に認証したとき、前記入退室管理手段に記録されている前記入室履歴に基づいて、前記入室管理端末側で前記入室者が入室しているか否かを検出し、入室している場合に退室許可を報知する一方、入室していない場合には入室するまで待機し、入室してから前記退室許可を報知する入室側状態検出処理を行うことを特徴とする入退室管理方法。
【請求項７】
前記出入り口は、電気錠を有し、
前記入室管理端末が、前記入室許可を報知したとき、前記電気錠の解錠状態を検出し、解錠されていなければ解錠して前記入室者を入室させ、所定時間経過後に前記入室許可の報知を停止し、
前記退室管理端末が、前記退室許可を報知したとき、前記電気錠の解錠状態を検出し、解錠されていなければ解錠して前記退室者を退室させ、所定時間経過後に前記退室許可の報知を停止することを特徴とする請求項６記載の入退室管理方法。
【請求項８】
前記入室管理端末が、前記入室許可を報知するとき、入室フラグをアクティブモードとする一方、前記電気錠を解錠したとき、前記入室フラグをノンアクティブモードとし、
前記退室管理端末が、前記退室許可を報知するとき、退室フラグをアクティブモードとする一方、前記電気錠を解錠したとき、前記退室フラグをノンアクティブモードとし、
前記入室管理端末の前記退室側状態検出手段が、前記入室者を正常に認証したとき、前記退室フラグがアクティブモードの場合にはノンアクティブモードになるまで待機し、
前記退室管理端末の入室側状態検出手段が、前記退室者を正常に認証したとき、前記入室フラグがアクティブモードの場合にはノンアクティブモードになるまで待機することを特徴とする請求項７記載の入退室管理方法。
【請求項９】
前記入室管理端末では、第１のカード読取部が、前記入室者のＩＤカードを読み取って認証し、
前記退室管理端末では、第２のカード読取部が、前記退室者のＩＤカードを読み取って認証することを特徴とする請求項６、７又は８記載の入退室管理方法。
【請求項１０】
コンピュータを、請求項１乃至５のいずれか一に記載の入退室管理システムとして機能させることを特徴とする入退室管理プログラム。